(57)【要約】【課題】  侵入者に対して報知音による威嚇効果を発揮できるとともに、報知音が周囲への迷惑にならない防犯装置、およびそれを備えた照明器具を提供する。【解決手段】  制御部３は、人センサ部１からの人検知信号が入力されると、報知音出力部４から報知音を発する。この報知音の音圧レベルは、報知音出力部４から１ｍ離れた位置で４０乃至５０ｄＢに設定されており、報知音出力部４から４ｍ離れた位置では、報知音の音圧レベルが４０ｄＢ以下となって周囲音とほぼ同等以下の音圧レベルとなり、防犯装置Ａの４ｍ以内の人のみに聞こえる報知音となって、防犯装置Ａから４ｍ以上離れた場所では報知音が聞こえなくなる。【選択図】図１
2005302318.tif 000002
【特許請求の範囲】
【請求項１】
人体から放射される熱線を集光して人体の検知を行う熱線センサと、熱線センサが人体を検知したときに出力する人検知信号に基づいて報知音を発する報知手段とを備え、報知音の音圧レベルは、報知手段から１ｍ離れた位置で４０乃至５０ｄＢであることを特徴とする防犯装置。
【請求項２】
周囲の明るさを検知する明るさセンサを備え、前記報知手段は、周囲の明るさに応じて報知音の音圧レベルを可変とすることを特徴とする請求項１記載の防犯装置。
【請求項３】
前記報知手段は、周囲の明るさが所定以上である場合、報知音の音圧レベルを報知手段から１ｍ離れた位置で８０ｄＢ以上とし、周囲の明るさが所定以下である場合、報知音の音圧レベルを報知手段から１ｍ離れた位置で４０乃至５０ｄＢとすることを特徴とする請求項２記載の防犯装置。
【請求項４】
前記報知手段は間欠的に報知音を発し、該報知音の周期に同期して点滅する発光手段を備えることを特徴とする請求項１乃至３いずれか記載の防犯装置。
【請求項５】
請求項１乃至４いずれか記載の防犯装置を備えることを特徴とする照明器具。
【発明の詳細な説明】
【技術分野】
【０００１】
本発明は、センサにて人を検知して報知音を発する防犯装置、およびそれを備えた照明器具に関するものである。
【背景技術】
【０００２】
一般住宅において、人を検知して報知音を発する防犯装置が普及しており、その数は年々増加している。（例えば、特許文献１参照）。また、このような防犯装置を組み込んだ照明器具もある。（例えば、特許文献２参照）。
【特許文献１】特開２００３−１６５４２号公報
【特許文献２】特開２０００−２１５８０号公報
【発明の開示】
【発明が解決しようとする課題】
【０００３】
従来、防犯装置または防犯装置付きの照明器具が発する報知音の音圧レベルは、本体から１ｍ離れた位置で７５ｄＢ以上となる商品が一般的であり、夜間に、一般住宅で報知音が鳴ると近所迷惑になっていた。また、一般住宅の外玄関等の人の出入りが多い場所に防犯装置または防犯装置付きの照明器具を取り付ける場合、検知したい泥棒等の侵入者以外の検知も考えられ、人の出入りの度に大きな音で報知しては近所迷惑となっていた。
【０００４】
また、夜間は周囲が静かであるため上記問題が生じるが、昼間は周囲の騒音が大きいため、報知音の音圧レベルが低いと周囲の騒音に報知音がかき消されてしまう。
【０００５】
本発明は、上記事由に鑑みてなされたものであり、その目的は、侵入者に対して報知音による威嚇効果を発揮できるとともに、報知音が周囲への迷惑にならない防犯装置、およびそれを備えた照明器具を提供することにある。
【課題を解決するための手段】
【０００６】
請求項１の発明は、人体から放射される熱線を集光して人体の検知を行う熱線センサと、熱線センサが人体を検知したときに出力する人検知信号に基づいて報知音を発する報知手段とを備え、報知音の音圧レベルは、報知手段から１ｍ離れた位置で４０乃至５０ｄＢであることを特徴とする。
【０００７】
この発明によれば、報知音は防犯装置の近くでのみ聞こえ、防犯装置から離れた場所では報知音が聞こえないので、侵入者に対してのみ報知音による威嚇効果を発揮し、報知音が周囲への迷惑にならない。また、音圧を従来よりも抑えているため、ブザー等の報知手段を小さくでき、装置全体をコンパクトにすることができる。
【０００８】
請求項２の発明は、請求項１において、周囲の明るさを検知する明るさセンサを備え、前記報知手段は、周囲の明るさに応じて報知音の音圧レベルを可変とすることを特徴とする。
【０００９】
この発明によれば、昼間と夜間とで報知音の音圧レベルを変えることができる。
【００１０】
請求項３の発明は、請求項２において、前記報知手段は、周囲の明るさが所定以上である場合、報知音の音圧レベルを報知手段から１ｍ離れた位置で８０ｄＢ以上とし、周囲の明るさが所定以下である場合、報知音の音圧レベルを報知手段から１ｍ離れた位置で４０乃至５０ｄＢとすることを特徴とする。
【００１１】
この発明によれば、昼間は報知音の音圧レベルを大きくするので、周囲の騒音が大きい昼間でも報知音による威嚇効果を発揮でき、周囲の騒音が小さい夜間は報知音の音圧レベルを小さくするので、侵入者に対してのみ報知音による威嚇効果を発揮し、報知音が周囲への迷惑にならない。
【００１２】
請求項４の発明は、請求項１乃至３いずれかにおいて、前記報知手段は間欠的に報知音を発し、該報知音の周期に同期して点滅する発光手段を備えることを特徴とする。
【００１３】
この発明によれば、報知音と点滅光との両方によって、より一層の威嚇効果を発揮できる。
【００１４】
請求項５の発明は、請求項１乃至４いずれか記載の防犯装置を備えることを特徴とする。
【００１５】
この発明によれば、請求項１乃至４いずれか記載の防犯装置と同様の効果を奏する照明器具を提供することができる。
【発明の効果】
【００１６】
以上説明したように、本発明では、報知音は防犯装置または照明器具の近くでのみ聞こえ、防犯装置または照明器具から離れた場所では報知音が聞こえないので、侵入者に対して報知音による威嚇効果を発揮できるとともに、報知音が周囲への迷惑にならない防犯装置、およびそれを備えた照明器具を提供することができる。
【発明を実施するための最良の形態】
【００１７】
以下、本発明の実施の形態を図面に基づいて説明する。
【００１８】
（実施形態１）
図１は本実施形態の防犯装置のブロック構成を示しており、防犯装置Ａは、人センサ部１と、制御部３と、報知音出力部４とから構成される。
【００１９】
人センサ部１は、人体が放射する熱線をレンズで集光して人検知を行う熱線センサであり、人を検知すると人検知信号を制御部３へ出力する。
【００２０】
制御部３は、防犯装置Ａ全体の制御を行うもので、人センサ部１からの人検知信号が入力されると、ブザー等で構成される報知音出力部４から報知音を発する。この報知音の音圧レベルは、報知音出力部４から１ｍ離れた位置で４０乃至５０ｄＢに設定されており、一般的に、報知音出力部４からの距離が２倍になると音圧レベルは約−６ｄＢ、距離が３倍になると音圧レベルは約−９ｄＢ、距離が４倍になると音圧レベルは約−１２ｄＢ、距離が５倍になると音圧レベルは約−１４ｄＢの変化があることが分っているので、報知音出力部４から２ｍ離れた位置で３４〜４４ｄＢ、３ｍ離れた位置で３１〜４１ｄＢ、４ｍ離れた位置で２８〜３８ｄＢ、５ｍ離れた位置で２６〜３６ｄＢとなる。
【００２１】
ここで、図２は、環境基本法１６条第１項に規定されている地域毎の昼間および夜間における騒音の基準を示しており、特に静穏を要する地域では夜間において４０ｄＢ以下であることが規定されており、本実施形態の防犯装置Ａでは、報知音出力部４から４ｍ離れた位置では、報知音の音圧レベルが４０ｄＢ以下となって周囲音とほぼ同等以下の音圧レベルとなり、防犯装置Ａの近く（ここでは４ｍ以内）の人のみに聞こえる報知音となって、防犯装置Ａから４ｍ以上離れた場所では報知音が聞こえなくなる。すなわち、報知音は侵入者に対してのみ威嚇効果を発揮し、周囲への迷惑にならない。また、報知音出力部４から１ｍ離れた位置での音圧を４０乃至５０ｄＢに抑えることで、報知音出力部４を小さくでき、防犯装置Ａ全体のコンパクト化を図っている。
【００２２】
なお、図３は、環境基本法１６条第１項に規定されている騒音の基準と様々な音との各音圧レベルの関係を示したものであり、郊外の深夜のささやき声が約３０ｄＢ、静かな住宅街の昼が約４０ｄＢ、騒がしい住宅街の昼が約５５ｄＢ、普通の会話が約６０ｄＢ、車の音が約６５ｄＢ、電話のベルが約７０ｄＢである。
【００２３】
（実施形態２）
本実施形態の防犯装置Ａは、実施形態１の構成に図１に示す明るさセンサ部２（破線）を設けて、周囲の明るさに応じて報知音の音圧レベルを切り換えるものである。明るさセンサ部２は、防犯装置Ａの周囲の明るさを検知するもので、周囲の明るさに応じた明るさ検知信号が明るさセンサ部２から制御部３へ出力される。
【００２４】
図４は、本実施形態の防犯装置Ａの動作を説明するタイミングチャートであって、まず、明るさセンサ部２からの明るさ検知信号が一定以上になった場合、制御部３は周囲が明るくなったと判断し（期間Ｔ１）、この期間Ｔ１内で人センサ部１が人を検知した場合（時間ｔ１）、制御部３は、報知音出力部４から１ｍ離れた位置で音圧レベルが８０ｄＢ以上になる報知音を報知音出力部４から発する。したがって、報知音出力部４から５ｍ離れた位置でも報知音の音圧レベルが６６ｄＢ以上となり、図２に示すように昼間の商業、工業等に供される地域（６０ｄＢ以下）であっても、人に聞こえる音圧レベルとなる。
【００２５】
また、明るさセンサ部２からの明るさ検知信号が一定以下になった場合、制御部３は周囲が暗くなったと判断し（期間Ｔ２）、この期間Ｔ２内で人センサ部１が人を検知した場合（時間ｔ２）、制御部３は、報知音出力部４から１ｍ離れた位置で音圧レベルが４０乃至５０ｄＢになる報知音を報知音出力部４から発する。したがって、実施形態１と同様に防犯装置Ａから４ｍ以内の人のみに聞こえる報知音となって、防犯装置Ａから４ｍ以上離れた場所では報知音が聞こえなくなるように設定されている。
【００２６】
したがって、昼間は、騒音の中でも報知音による威嚇効果を発揮でき、夜間は、侵入者に対してのみ報知音による威嚇効果を発揮して報知音が周囲への迷惑にならない。
【００２７】
（実施形態３）
図５は本実施形態の照明器具Ｂのブロック構成を示しており、照明器具Ｂは、人センサ部１と、明るさセンサ部２と、制御部３と、報知音出力部４と、照明負荷部５と、状態表示部６とから構成され、図１の防犯装置Ａを照明器具に設けたものであり、制御部３は照明負荷部５および状態表示部６の点灯制御を行い、照明負荷部５はランプ等で構成され、状態表示部６は器具の状態表示を行なうＬＥＤ等で構成される。
【００２８】
照明器具Ｂは、一般的な住宅の玄関に設置されるポーチライト、エントランスライト等の防犯装置付きの照明器具として用いられ、その外観は、図６に示すように、造営物に固定されるベース部１０と、ベース部１０に一端を取り付けたアーム部１１と、アーム部１１の他端に取り付けた筒状のランプカバー１２とを備えて、一端を開放したランプカバー１２内のソケット（図示なし）には照明負荷部５が装着される。
【００２９】
ベース部１０内には、図７に示すような制御部３、報知音出力部４、センサケース７、および制御部３と報知音出力部４，センサケース７とを各々接続する配線８，８が配置されている。センサケース７は、人センサ部１、明るさセンサ部２、状態表示部６を収納しており、その検知部や表示部をセンサケース７から外部に露出している。
【００３０】
そして制御部３は、照明器具Ｂ全体の制御を行うもので、リモコン等で通常モードと防犯モードとに切り換えることができる。通常モードでは、周囲が暗くなって明るさセンサ部２からの明るさ検知信号が一定以下になると、照明負荷部５を所定の減光レベルで点灯させ、その状態で人センサ部１からの人検知信号が入力されると、照明負荷部５を１００％の調光レベルで点灯させる。
【００３１】
防犯モードでは、明るさセンサ部２からの明るさ検知信号に関わらず、図８のタイムチャートに示すように、人センサ部１から人検知信号が入力されると、報知音出力部４から報知音を間欠的に発するとともに、照明負荷部５および状態表示部６を報知音に同期して点滅させている。この報知音は、人検知信号が入力されている間、０．１秒オン、０．１秒オフで間欠的に出力されており、照明負荷部５および状態表示部６は報知音オン時に点灯し、報知音オフ時に消灯する。すなわち、人が人センサ部１の検知範囲内に入ると、昼夜問わずに間欠報知音と点滅光とで侵入者に対して威嚇を行う。この報知音の音圧レベルは、報知音出力部４から１ｍ離れた位置で４０乃至５０ｄＢに設定されており、実施形態１と同様に照明器具Ｂから４ｍ以内の人のみに聞こえる報知音となって、照明器具Ｂから４ｍ以上離れた場所では報知音が聞こえなくなるように設定されている。すなわち、報知音は侵入者に対してのみ威嚇効果を発揮し、周囲への迷惑にならない。また、報知音出力部４から１ｍ離れた位置での音圧を４０乃至５０ｄＢに抑えることで、報知音出力部４を小さくでき、照明器具Ｂ全体のコンパクト化を図っている。
【００３２】
また、照明器具Ｂとして、図９（ａ）に示すように有底円筒形のランプカバー１３を備えたものや、図９（ｂ）に示すように略函型のランプカバー１４を備えたものや、図９（ｃ）に示すように六角柱形状のランプカバー１５を備えたものがある。
【００３３】
なお、本実施形態では、報知音の出力を一定周期毎にオン・オフしているが、報知音の周波数を０．１秒毎に、例えば２ＫＨｚと４ＫＨｚとに交互に切り換えてもよい。
【００３４】
（実施形態４）
本実施形態の照明器具Ｂは、実施形態２と同様に周囲の明るさに応じて報知音の音圧レベルを切り換えるものである。すなわち、明るさセンサ部２からの明るさ検知信号が一定以上になった場合、制御部３は周囲が明るくなったと判断して、報知音出力部４から１ｍ離れた位置で音圧レベルが８０ｄＢ以上になる報知音を報知音出力部４から発する。明るさセンサ部２からの明るさ検知信号が一定以下になった場合、制御部３は周囲が暗くなったと判断して、報知音出力部４から１ｍ離れた位置で音圧レベルが４０乃至５０ｄＢになる報知音を報知音出力部４から発する。
【００３５】
したがって、昼間は、騒音の中でも報知音による威嚇効果を発揮でき、夜間は、侵入者に対してのみ報知音による威嚇効果を発揮して報知音が周囲への迷惑にならない。
【図面の簡単な説明】
【００３６】
【図１】本発明の実施形態１，２の防犯装置のブロック構成を示す図である。
【図２】騒音の基準を示す図である。
【図３】同上の騒音の基準と様々な音との各音圧レベルの関係を示す図である。
【図４】本発明の実施形態２の動作を説明するためのタイミングチャートを示す図である。
【図５】本発明の実施形態３の照明器具のブロック構成を示す図である。
【図６】同上の外観を示す図である。
【図７】同上の内蔵機器を示す図である。
【図８】同上の動作を説明するためのタイミングチャートを示す図である。
【図９】（ａ）〜（ｃ）照明器具の他の外観形状を示す図である。
【符号の説明】
【００３７】
Ａ  防犯装置
１  人センサ部
３  制御部
４  報知音出力部
【図１】
2005302318.tif 000003
【図２】
2005302318.tif 000004
【図３】
2005302318.tif 000005
【図４】
2005302318.tif 000006
【図５】
2005302318.tif 000007
【図６】
2005302318.tif 000008
【図７】
2005302318.tif 000009
【図８】
2005302318.tif 000010
【図９】
2005302318.tif 000011